(57)【要約】【課題】蓄電装置に電力を充放電させる技術の有用性を向上させる蓄電装置、蓄電装置の制御装置及び蓄電装置の制御方法を提供する。【解決手段】蓄電装置は、電線を介して他の蓄電装置と並列に接続される端子部と、蓄電部と、端子部と蓄電部との間に設けられたスイッチング部と、蓄電部にかかる第１の電圧値を測定する測定部と、端子部にかかる第２の電圧値を示す信号を受信する通信部と、第１の電圧値と第２の電圧値とに基づいてスイッチング部を制御する制御部とを備える。【選択図】図１
2019193475.tif 000002
【特許請求の範囲】
【請求項１】
電線を介して他の蓄電装置と並列に接続される端子部と、
蓄電部と、
前記端子部と前記蓄電部との間に設けられたスイッチング部と、
前記蓄電部にかかる第１の電圧値を測定する測定部と、
前記端子部にかかる第２の電圧値を示す信号を受信する通信部と、
前記第１の電圧値と前記第２の電圧値とに基づいて前記スイッチング部を制御する制御部と、
を備える、蓄電装置。
【請求項２】
請求項１に記載の蓄電装置であって、
前記制御部は、前記スイッチング部を制御して、前記端子部と前記蓄電部との電力の入出力の可否を切り替える、蓄電装置。
【請求項３】
請求項１又は２に記載の蓄電装置であって、
前記制御部は、前記スイッチング部を制御して、前記端子部と前記蓄電部との間で入出力される電力を変圧する、蓄電装置。
【請求項４】
請求項１から３のいずれか一項に記載の蓄電装置であって、
前記第２の電圧値を示す信号には、前記他の蓄電装置の蓄電部にかかる電圧値が含まれる、蓄電装置。
【請求項５】
電線を介して他の蓄電装置と並列に接続される端子部と、蓄電部と、前記端子部と前記蓄電部との間に設けられたスイッチング部と、測定部と、通信部とを備える蓄電装置を制御可能な制御装置であって、
前記蓄電装置に、前記蓄電部にかかる第１の電圧値を前記測定部により測定させ、
前記蓄電装置に、前記端子部にかかる第２の電圧値を示す信号を前記通信部により受信させ、
前記蓄電装置に、前記第１の電圧値と前記第２の電圧値とに基づいて前記スイッチング部を制御させる、制御装置。
【請求項６】
電線を介して他の蓄電装置と並列に接続される端子部と、蓄電部と、前記端子部と前記蓄電部との間に設けられたスイッチング部と、測定部と、通信部とを備える蓄電装置の制御方法であって、
前記蓄電部にかかる第１の電圧値を前記測定部により測定するステップと、
前記端子部にかかる第２の電圧値を示す信号を前記通信部により受信するステップと、
前記第１の電圧値と前記第２の電圧値とに基づいて前記スイッチング部を制御するステップと、
を含む、制御方法。
【発明の詳細な説明】
【技術分野】
【０００１】
本開示は、蓄電装置、蓄電装置の制御装置及び蓄電装置の制御方法に関する。
【０００２】
従来、経年劣化等により蓄電システムを構成する複数の蓄電装置に特性差が生じた場合に、特性差のある複数の蓄電装置を並列に接続して充放電させる技術が知られている。例えば、特許文献１には、蓄電システムを構成する複数の蓄電装置のうち、充放電していない蓄電装置の電圧値が、既に放電中の蓄電装置の電圧値と一致するときに、その蓄電装置の充放電を開始させる蓄電システムが開示されている。
【先行技術文献】
【特許文献】
【０００３】
【特許文献１】特許第５６１８３９３号公報
【発明の概要】
【発明が解決しようとする課題】
【０００４】
かかる事情に鑑みてなされた本開示の目的は、蓄電装置に電力を充放電させる技術の有用性を向上させる蓄電システム、蓄電装置、蓄電装置の制御装置及び蓄電装置の制御方法を提供することである。
【課題を解決するための手段】
【０００５】
本開示の実施形態に係る蓄電装置は、電線を介して他の蓄電装置と並列に接続される端子部と、蓄電部と、前記端子部と前記蓄電部との間に設けられたスイッチング部と、前記蓄電部にかかる第１の電圧値を測定する測定部と、前記端子部にかかる第２の電圧値を示す信号を受信する通信部と、前記第１の電圧値と前記第２の電圧値とに基づいて前記スイッチング部を制御する制御部とを備える。
【０００６】
本開示の実施形態に係る制御装置は、電線を介して他の蓄電装置と並列に接続される端子部と、蓄電部と、前記端子部と前記蓄電部との間に設けられたスイッチング部と、測定部と、通信部とを備える蓄電装置を制御可能な制御装置である。前記制御装置は、前記蓄電装置に、前記蓄電部にかかる第１の電圧値を前記測定部により測定させる。前記制御装置は、前記蓄電装置に、前記端子部にかかる第２の電圧値を示す信号を前記通信部により受信させる。前記制御装置は、前記蓄電装置に、前記第１の電圧値と前記第２の電圧値とに基づいて前記スイッチング部を制御させる。
【０００７】
本開示の実施形態に係る制御方法は、電線を介して他の蓄電装置と並列に接続される端子部と、蓄電部と、前記端子部と前記蓄電部との間に設けられたスイッチング部と、測定部と、通信部とを備える蓄電装置の制御方法である。前記制御方法は、前記蓄電部にかかる第１の電圧値を前記測定部により測定するステップを含む。前記制御方法は、前記端子部にかかる第２の電圧値を示す信号を前記通信部により受信するステップを含む。前記制御方法は、前記第１の電圧値と前記第２の電圧値とに基づいて前記スイッチング部を制御するステップを含む。
【発明の効果】
【０００８】
本開示の実施形態に係る蓄電システム、蓄電装置、蓄電装置の制御装置及び蓄電装置の制御方法によれば、蓄電装置に電力を充放電させる技術の有用性が向上する。
【図面の簡単な説明】
【０００９】
【図１】本開示の一実施形態に係る蓄電システムの概略構成図である。
【図２】図１に記載の蓄電装置が備えるスイッチング部の第１の構成例である。
【図３】図１に記載の蓄電装置が備えるスイッチング部の第２の構成例である。
【図４】図１に記載の蓄電装置が備えるスイッチング部の第３の構成例である。
【図５】図１に記載の蓄電装置が備えるスイッチング部の第４の構成例である。
【図６】図１に記載の蓄電システムの動作の一例のシーケンス図である。
【図７】図２に記載の蓄電装置を含む蓄電システムの動作例を示すグラフである。
【図８】図２に記載の蓄電装置が実行する放電処理の一例のフロー図である。
【図９】図２に記載の蓄電装置を含む蓄電システムの動作例を示すグラフである。
【図１０】図２に記載の蓄電装置が実行する充電処理の一例のフロー図である。
【図１１】図３に記載の蓄電装置を含む蓄電システムの動作例を示すグラフである。
【図１２】図３に記載の蓄電装置が実行する放電処理の一例のフロー図である。
【図１３】図４に記載の蓄電装置を含む蓄電システムの動作例を示すグラフである。
【図１４】図４に記載の蓄電装置が実行する充電処理の一例のフロー図である。
【図１５】図５に記載の蓄電装置を含む蓄電システムの動作例を示すグラフである。
【図１６】図５に記載の蓄電装置が実行する放電処理の一例のフロー図である。
【図１７】図５に記載の蓄電装置を含む蓄電システムの動作例を示すグラフである。
【図１８】図５に記載の蓄電装置が実行する充電処理の一例のフロー図である。
【図１９】本開示の他の実施形態に係る蓄電システムの動作例を示すグラフである。
【図２０】本開示の他の実施形態に係る蓄電システムの動作例を示すグラフである。
【発明を実施するための形態】
【００１０】
（蓄電システムの構成）
図１は、本開示の一実施形態に係る蓄電システム１の一例を示す概略構成図である。蓄電システム１には、パワーコンディショナ１０及び蓄電装置２０Ａ、２０Ｂ及び２０Ｃ等の機器が含まれてもよい。図１において、蓄電装置２０Ａ、２０Ｂ及び２０Ｃは電線４０により並列に接続され、パワーコンディショナ１０を介して電力系統６０と接続される。図１において、電線４０は実線で示される。蓄電システム１は、電力系統６０に接続され、電力系統６０に接続された負荷７０等に電力を供給する。負荷７０は、例えば、照明、エアーコンディショナ又は情報処理装置等の電力を消費する任意の電気機器が含まれてもよい。また、蓄電システム１は、電力系統６０から供給された電力を蓄電装置２０Ａ、２０Ｂ及び２０Ｃに蓄積する。以下、蓄電装置２０Ａ、２０Ｂ及び２０Ｃを特に区別しない場合、単に、蓄電装置２０と総称する。蓄電システム１において、パワーコンディショナ１０及び蓄電装置２０等の蓄電システム１に含まれる機器は、通信線５０により互いに通信可能に接続される。図１において、通信線５０は点線で示される。通信線５０は、例えば、バス型に構成され得る。図１では、一例として、１台のパワーコンディショナ１０と、３台の蓄電装置２０を含む蓄電システム１が図示されているが、蓄電システム１に含まれる機器の構成及び数は任意に定められてもよい。例えば、蓄電システム１に求められる充電容量等の要件に応じて、パワーコンディショナ１０及び蓄電装置２０のそれぞれは、個別に増設又は撤去されてもよい。なお、通信線５０は、有線であっても無線であってもよい。
【００１１】
パワーコンディショナ１０は、ＰＣＳ（Power Conditioning System：電力制御装置）ともいう。パワーコンディショナ１０は、例えば、蓄電装置２０の電力の充放電を制御する。その際に、パワーコンディショナ１０は、蓄電装置２０により充放電される電力の電圧値が一定になるように制御する定電圧制御、或いは充放電される電力の電流値が一定になるように制御する定電流制御を行ってもよい。パワーコンディショナ１０は、蓄電装置２０からの直流電力を交流電力に変換して電力系統６０又は負荷７０等に出力し、或いは電力系統６０からの交流電力を直流電力に変換して蓄電装置２０に出力する。
【００１２】
蓄電装置２０は、電力系統６０に接続された負荷７０等に電力を供給する。蓄電装置２０は、売電可能な電力等を電力系統６０に供給してもよい。また、蓄電装置２０は、電力系統６０から供給された電力を蓄積する。蓄電装置２０は、例えば、リチウムイオン電池、鉛蓄電池、ナトリウム硫黄電池、ニッケル水素蓄電池又はその他の蓄電池であってもよい。蓄電装置２０は、パワーコンディショナ１０から受信した制御信号に基づき、電力の充電及び放電等の動作、或いは蓄電装置２０自身に関する情報を含む信号の送信等を実施してもよい。以下、蓄電装置自身のことを自装置ともいう。
【００１３】
本開示の一実施形態に係る蓄電システム１において、例えば、パワーコンディショナ１０は、蓄電装置２０の蓄電部の電圧値のうち最大値又は最小値を指定して、充電又は放電を行う制御信号を蓄電装置２０のそれぞれに送信する。蓄電装置２０は、制御信号で指定された電圧値と自装置の電圧値との比較に基づきスイッチング部を制御して、電力を昇圧又は降圧して充電又は放電を行い、或いは充放電の動作を停止する。これにより、蓄電システム１に含まれる電圧値が異なる蓄電装置２０に対して充放電をさせることができる。以下、詳細を説明する。
【００１４】
（蓄電装置の構成）
以下に、本開示の一実施形態に係る蓄電装置の一例である蓄電装置２０の概略構成を示す。図１において、蓄電装置２０は、制御部２１、蓄電部２２、測定部２３、端子部２４、スイッチング部２５、開閉器２６、通信部２７、記憶部２８、報知部２９、入力部３０及び電線３1等の機能部を備える。
【００１５】
制御部２１は、詳細を後述するように、蓄電装置２０の各機能を実現するための制御及び処理能力を提供する１つ以上のプロセッサである。制御部２１は、制御手順を規定したプログラムを実行するＣＰＵ（Central Processing Unit）等のプロセッサ又は各機能の処理に特化した専用のプロセッサで構成されてもよい。
【００１６】
制御部２１は、上述した蓄電装置２０の各機能部と有線又は無線により接続され、これらの機能部をはじめとして蓄電装置２０の全体または一部を制御及び管理する。制御部２１は、記憶部２８に記憶されているプログラムを取得して、このプログラムを実行することにより、蓄電装置２０の各機能部に係る種々の機能を実現する。制御部２１が行う本実施形態に特徴的な制御については、さらに後述する。
【００１７】
蓄電部２２は、制御部２１の制御に基づき、電力の充電及び放電を行う。蓄電部２２は、後述する端子部２４を介して、蓄電装置２０の外部と通電可能に配置される。蓄電部２２における電力の充電及び放電は、蓄電部２２を構成するセルの単位で、制御部２１により制御及び管理されてもよい。蓄電部２２は複数のセルを備えていてもよい。また、セルは、複数のセルを接続したモジュール単位で、制御部２１により制御及び管理されてもよい。
【００１８】
蓄電システム１に含まれるそれぞれの蓄電装置２０の蓄電部２２にかかる電圧値はそれらの蓄電装置２０の劣化の度合い又は充電率等の条件によって異なり得る。例えば、同一の仕様及び性能の蓄電装置２０であっても、使用回数、使用頻度又は設置環境等の違いにより、それぞれの蓄電装置２０の劣化の度合いに差が生じる。蓄電装置２０の劣化の度合いに応じて蓄電装置２０の充電容量及び放電容量に差異が生じるため、例えば、満充電又は空の状態における蓄電部２２にかかる電圧値は異なり得る。以下、劣化の度合いをＳＯＨ（State of Health）ともいう。ＳＯＨは、現在の満充電容量（ＦＣＣ：Full Charge Capacity）の設計容量（ＤＣ：Design Capacity）に対する比（％）で表され得る。また、それぞれの蓄電装置の充電容量は同一であっても、充電量が異なる場合には、それぞれの蓄電部２２にかかる電圧値が異なり得る。以下、充電率をＳＯＣ（States Of Charge）ともいう。ＳＯＣは、満充電容量に対する現在の充電量の比（％）で表され得る。
【００１９】
測定部２３は、蓄電部２２にかかる電圧値を測定する。測定部２３は、電圧計であってもよい。本明細書において、測定部２３により測定された蓄電部２２にかかる電圧値を第１の電圧値ともいう。測定部２３は、測定した電圧値を、制御部２１に送信する。測定部２３は、任意の位置に設置されてもよい。例えば、測定部２３は、蓄電部２２と別体として設けられているが、この限りではない。測定部２３は、蓄電部２２の内部に設けられてもよい。また、測定部２３の数は任意であってもよい。例えば、モジュール又はセルの単位に複数の測定部２３が設けられ、それらの測定部２３が測定した値から蓄電部２２にかかる電圧値が算出されてもよい。
【００２０】
端子部２４は、電線を介して他の蓄電装置２０と並列に接続される。端子部２４は、蓄電装置２０の外部から電線４０等を接続される端子を含む。本実施形態において、蓄電装置２０は並列接続にて他の機器と接続されることを想定している。そのため、端子部２４は、正極端子２４Ａ及び負極端子２４Ｂを備えてもよい。図１において、正極端子２４Ａは電線３１Ａを介して蓄電部２２の正極端子に接続され、負極端子２４Ｂは電線３１Ｂを介して蓄電部２２の負極端子に接続される。端子部２４に含まれる端子の数は、任意の数とされてもよい。例えば、蓄電装置２０の蓄電部２２が複数のセルを備える場合、端子部２４には、セルの数に応じた複数の端子が含まれてもよい。他の機器は、例えばパワーコンディショナ１０又は蓄電装置２０等の機器であってもよい。電線４０により接続される機器は、パワーコンディショナ１０及び蓄電装置２０に限られず、例えば、太陽電池、風力発電装置、水力発電装置及び燃料電池等を含む任意の電源装置、或いは情報処理装置等を含む、任意の機器であってもよい。
【００２１】
図１において、蓄電装置２０Ａの端子部２４の正極端子２４Ａ及び負極端子２４Ｂはそれぞれパワーコンディショナ１０、他の蓄電装置２０Ｂ及び２０Ｃの正極端子及び負極端子と電線４０Ａ及び４０Ｂを介して接続される。これにより、蓄電システム１において、蓄電装置２０Ａ、２０Ｂ及び２０Ｃは並列に接続される。本実施形態において、蓄電装置２０はそれぞれ１つの端子部２４を備えるものとして説明するが、この限りではない。蓄電装置２０が備える端子部２４の数は蓄電システム１における他の機器との接続方法等に応じて、任意の数としてもよい。
【００２２】
スイッチング部２５は、端子部２４と蓄電部２２との間に設けられる。スイッチング部２５は、制御部２１の制御に基づいて、端子部２４と蓄電部２２との電力の入出力の可否を切り替え得る。また、スイッチング部２５は、制御部２１の制御に基づいて、端子部２４と蓄電部２２との間で入出力される電力を変圧し得る。スイッチング部２５の制御は、所定の電圧値に基づいて行われてもよい。例えば、所定の電圧値には、蓄電部２２にかかる電圧値が含まれる。以下、蓄電部２２にかかる電圧値を第１の電圧値ともいう。また、所定の電圧値には、蓄電システム１に含まれる蓄電装置２０に充放電させる際に指定される入出力の電力の電圧値であってもよい。以下、充放電させる際に指定される入出力の電力の電圧値を第２の電圧値ともいう。第２の電圧値は、蓄電装置２０の端子部２４にかかる電圧値であってもよい。例えば、蓄電システム１に含まれる蓄電装置２０に充放電中に、パワーコンディショナ１０によって、電線４０Ａと電線４０Ｂとの電位差が第２の電圧値となるように制御されてもよい。制御部２１は、第１の電圧値と第２の電圧値とに基づいてスイッチング部２５を制御してもよい。スイッチング部２５の構成は、電力の入出力の可否を切り替える動作、蓄電部２２に充電する電力を昇圧又は降圧する動作、或いは、蓄電部２２から放電する電力を昇圧又は降圧する動作等、その動作に応じて、任意の構成であってもよい。スイッチング部２５の構成例を以下に示す。
【００２３】
（スイッチング部の構成例１）
スイッチング部の構成例として、スイッチング部２５Ａを図２に示す。スイッチング部２５Ａは、スイッチング素子３２を備えてもよい。図２において、スイッチング素子３２は、端子部２４の正極端子２４Ａと蓄電部２２の正極端子を接続する電線３１Ａに設けられている。スイッチング素子３２は、例えば、トランジスタ又はＭＯＳＦＥＴ等の任意のスイッチング素子であってもよい。かかる構成を有するスイッチング部２５Ａは、制御部２１によってスイッチング素子３２が切り替えられることで、端子部２４と蓄電部２２との電力の入出力の可否を切り替える。また、制御部２１は、スイッチング素子３２を切り替えて、所定の抵抗値を持つように制御することによって、スイッチング部２５Ａにおいて電圧又は電流を制御し得る。制御部２１は、スイッチング素子３２をＰＷＭ（Pulse Width Modulation）制御してもよい。
【００２４】
（スイッチング部の構成例２）
スイッチング部の他の構成例として、スイッチング部２５Ｂを図３に示す。スイッチング部２５Ｂは、スイッチング素子３２、コイル３３及びダイオード３４を備える、ＤＣ／ＤＣコンバータであってもよい。図３において、構成例１で上述したスイッチング素子３２に加え、コイル３３が電線３１Ａのスイッチング素子３２よりも端子部２４側に設けられる。また、ダイオード３４が電線３１Ａのスイッチング素子３２とコイル３３との間と電線３１Ｂを接続するように設けられている。かかる構成を有するスイッチング部２５Ｂは、蓄電装置２０から放電する場合、つまり、蓄電部２２から端子部２４に電力を出力する場合に、スイッチング素子３２を繰り返し切り替えることによって、スイッチング部２５Ｂに入力された電力を降圧して出力する。なお、スイッチング部２５Ｂにおいて電力を降圧しない場合には、制御部２１は、スイッチング素子３２を閉状態に維持するよう制御してもよい。
【００２５】
（スイッチング部の構成例３）
スイッチング部の他の構成例として、スイッチング部２５Ｃを図４に示す。スイッチング部２５Ｃは、２つのスイッチング素子３２Ａ、３２Ｂ及びコイル３３を備える、ＤＣ／ＤＣコンバータであってもよい。図４を参照すると、構成例２で上述した構成に対して、ダイオード３４の代わりにスイッチング素子３２Ｂが設けられている。かかる構成を有するスイッチング部２５Ｃは、蓄電装置２０から放電する場合に、スイッチング素子３２Ａ及び３２Ｂを繰り返し切り替えることによって、スイッチング部２５Ｃに入力された電力を降圧して出力する。また、スイッチング部２５Ｃは、蓄電装置２０に充電する場合、つまり、端子部２４から蓄電部２２に電力を出力する場合に、スイッチング素子３２Ａ及び３２Ｂを繰り返し切り替えることによって、スイッチング部２５Ｃに入力された電力を昇圧して出力する。なお、スイッチング部２５Ｃにおいて電力を降圧または昇圧しない場合には、制御部２１は、スイッチング素子３２Ａを閉状態に維持し、スイッチング素子３２Ｂを開状態に維持するように制御してもよい。
【００２６】
（スイッチング部の構成例４）
スイッチング部の他の構成例として、スイッチング部２５Ｄを図５に示す。スイッチング部２５Ｄは、２つのスイッチング素子３２Ａ、３２Ｂ及びコイル３３を備える、ＤＣ／ＤＣコンバータであってもよい。図５を参照すると、構成例３で上述した構成に対して、コイル３３とスイッチング素子３２Ａとが置き換えられている。かかる構成を有するスイッチング部２５Ｄは、蓄電装置２０から放電する場合に、スイッチング素子３２Ａ及び３２Ｂを繰り返し切り替えることによって、スイッチング部２５Ｄに入力された電力を昇圧して出力する。また、スイッチング部２５Ｄは、蓄電装置２０に充電する場合に、スイッチング素子３２Ａ及び３２Ｂを繰り返し切り替えることにより、スイッチング部２５Ｄに入力された電力を降圧して出力する。なお、スイッチング部２５Ｄにおいて電力を降圧または昇圧しない場合には、制御部２１は、スイッチング素子３２Ａを閉状態に維持し、スイッチング素子３２Ｂを開状態に維持するように制御してもよい。
【００２７】
開閉器２６は、端子部２４と蓄電部２２を通電可能に接続するように設けられる。これにより、開閉器２６が閉じられると、蓄電装置２０の蓄電部２２と端子部２４を介して接続された他の機器とは通電可能に接続される。一方で、開閉器２６が開かれると、蓄電装置２０の蓄電部２２と端子部２４を介して接続された他の機器との通電が遮断される。開閉器２６の数は任意の数であってもよい。
【００２８】
通信部２７は、制御部２１の制御に基づき、他の機器と通信を行う。通信部２７は、例えば、ＣＡＮ（Controller Area Network）通信モジュール、有線ＬＡＮ通信モジュール又は無線ＬＡＮ（Local Area Network）通信モジュール等を備えてもよい。図１において、蓄電装置２０Ａの通信部２７は、蓄電システム１に含まれるパワーコンディショナ１０、蓄電装置２０Ｂ及び２０Ｃとともに共通の通信線５０に接続されている。これにより、蓄電装置２０Ａは、例えば、蓄電装置を制御する制御信号を蓄電システム１に含まれる他の機器から受信し、受信した制御信号に基づき動作することができる。制御信号には、蓄電装置の充放電等の動作を開始させる命令、或いは動作を停止させる命令等が含まれるが、この限りではない。また、蓄電装置２０は、詳細を後述する第２の電圧値を示す信号を蓄電システム１に含まれる他の機器と送受信し得る。信号を送受信するために、蓄電装置２０をはじめ、通信線５０に接続される機器には、識別子（identifier：ＩＤ）等の通信を行う際に機器を一意に特定するための情報が付与されていてもよい。かかる場合、信号には、対象とする機器、信号の送信元の機器、又は信号の送信先の機器等を特定するためにＩＤ等の情報が含まれてもよい。
【００２９】
記憶部２８は、例えば半導体メモリ、磁気メモリ又は光メモリ等を備える。記憶部２８は、例えば主記憶装置又は補助記憶装置として機能してもよい。記憶部２８は、制御部２１に含まれるプロセッサのキャッシュメモリ等であってもよい。また、記憶部２８は、揮発性の記憶装置であってもよく、不揮発性の記憶装置であってもよい。記憶部２８は、蓄電装置２０の各機能を実現するための制御及び処理に用いられる情報及びプログラムを記憶する。記憶部２８は、例えば、蓄電システム１に含まれる他の機器を一意に特定するための情報を記憶してもよい。例えば、他の機器を一意に特定するための情報には、上述したＩＤ等が含まれ得る。また、記憶部２８は、後述するスイッチング部の制御に用いられる条件を記憶してもよい。記憶部２８に記憶された情報及びプログラムの少なくとも一部が、他の機器との間で共有され、或いは同期されてもよい。
【００３０】
報知部２９は、音、振動、ライトの点灯及び画像等で情報を報知する。報知部２９は、例えばスピーカ、振動子、ライト及び表示デバイス等の少なくとも１つを含む。表示デバイスは、例えば液晶ディスプレイ又は有機ＥＬディスプレイ等とすることができる。報知部２９は、制御部２１の制御に基づいて、蓄電装置２０のＩＤ、蓄電装置２０に充電された電力の残量の情報、又は蓄電装置２０の充放電等を含む動作の状態等の少なくとも１つを報知してもよい。
【００３１】
入力部３０は、ユーザからの入力操作を受け付ける。入力部３０は、例えば報知部２９の表示デバイスと一体的に設けられたタッチパネル、キーボード、マウス、カメラ又はマイク等の入力デバイス等を含んでもよい。入力部３０は、ユーザ操作を検知すると、そのユーザ操作を電子情報として制御部２１に送信する。報知部２９及び入力部３０の少なくとも一方は、例えば、蓄電装置２０から物理的に切り離されたリモコン、タブレット端末、パーソナルコンピュータ又は制御装置等に設けられてもよい。
【００３２】
以下に、制御部２１による蓄電装置２０の各機能の制御について説明する。制御部２１は、蓄電部２２にかかる第１の電圧値を測定部２３により測定する。制御部２１は、電圧値の測定要求を測定部２３に送信し、電圧値の測定要求に基づいて測定部２３が測定した蓄電部２２にかかる第１の電圧値を測定部２３から受信してもよい。或いは、制御部２１は、測定部２３により測定された値に基づいて、蓄電部２２にかかる第１の電圧値を算出してもよい。
【００３３】
制御部２１は、通信部２７により、第２の電圧値を示す信号を受信する。制御部２１は、当該信号を任意の方法で受信してもよい。例えば、制御部２１は、他の機器が所定の時間間隔等で送信する第２の電圧値を示す信号を受信してもよい。或いは、制御部２１は、通信部２７により、第２の電圧値を示す信号の送信要求を他の機器に送信し、当該送信要求に基づき他の機器が送信した第２の電圧値を示す信号を受信してもよい。
【００３４】
第２の電圧値を示す信号には、第２の電圧値又は第２の電圧値を算出するために用いられる情報が含まれてもよい。例えば、第２の電圧値を示す信号には、パワーコンディショナ１０によって蓄電システム１に含まれる蓄電装置２０Ａ、２０Ｂ及び２０Ｃの蓄電部２２にかかる電圧値に基づいて算出された第２の電圧値が含まれていてもよい。かかる場合、第２の電圧値は、パワーコンディショナ１０または蓄電装置２０の端子の電圧であってもよい。第２の電圧値は、パワーコンディショナ１０の端子部、蓄電装置２０の端子２４Ａ及び２４Ｂの電圧を測定する電圧計によって測定されてもよい。第２の電圧値は、例えば、それぞれの蓄電装置２０Ａ、２０Ｂ及び２０Ｃが備える電線３１Ａと電線３１Ｂとの間の電圧を測定する電圧計によって測定され得る。第２の電圧値は、例えば、蓄電装置２０Ａ、２０Ｂ及び２０Ｃの蓄電部２２にかかる電圧値の最大値、最小値、又は平均値であってもよい。かかる場合、それぞれの蓄電装置２０の制御部２１は、第２の電圧値に基づいて放電又は充電を行うように自装置を制御する。また、第２の電圧値を示す信号には、第２の電圧値を算出するために用いられる情報として、他の蓄電装置２０が測定した自装置の蓄電部２２にかかる電圧値が含まれていてもよい。かかる場合、蓄電装置２０の制御部２１は、受信した他の蓄電装置２０の蓄電部２２にかかる電圧値と自装置の第１の電圧値との最大値、最小値、又は平均値等を第２の電圧値として算出してもよい。蓄電装置２０の制御部２１は、算出した第２の電圧値に基づいて放電又は充電を行うように自装置を制御する。第２の電圧値を算出するために用いられる情報は、他の蓄電装置２０の蓄電部２２にかかる電圧値に限られない。第２の電圧値を算出するために用いられる情報には、例えば、上述した他の蓄電装置２０の蓄電部２２のＳＯＣ、ＳＯＨ、又は他の蓄電装置２０で測定された電流値であってもよい。
【００３５】
第２の電圧値を示す信号には、上述した第２の電圧値又は第２の電圧値を算出するために用いられる情報に加えて、その他の情報が含まれてもよい。例えば、第２の電圧値を示す信号には、蓄電装置に対する充電又は放電等の動作をさせる制御命令が含まれてもよい。これにより、第２の電圧値を示す信号は、例えば、第２の電圧値を指定して放電させる制御信号、又は第２の電圧値を指定して充電させる制御信号として用いられ得る。その他の情報には、更に、動作の開始条件及び終了条件、制御の開始時間及び終了時間、或いは制御の継続時間等の任意の情報が含まれてもよい。これにより、第２の電圧値を示す信号を用いてより詳細な制御指示を蓄電装置２０に伝達することが可能となる。
【００３６】
制御部２１は、第１の電圧値と第２の電圧値とに基づいてスイッチング部２５を制御する。制御部２１は、第１の電圧値と第２の電圧値とに基づいて、スイッチング部２５を制御して、端子部２４と蓄電部２２との電力の入出力の可否を切り替えてもよい。制御部２１は、例えば、自装置の蓄電部２２にかかる第１の電圧値と第２の電圧値との電位差が所定の範囲内にあるか否かを判定してもよい。制御部２１は、電位差が所定の範囲内にあると判定されると、スイッチング部２５に入力された電力を変圧せずにそのまま出力するようにスイッチング部２５を制御してもよい。制御部２１は、電位差が所定の範囲内にないと判定されると、端子部２４と蓄電部２２との電力の入出力を遮断するようにスイッチング部２５を制御してもよい。
【００３７】
例えば、蓄電システム１に含まれる蓄電装置２０Ａ、２０Ｂ及び２０Ｃに電位差が生じており、蓄電装置２０Ａの電圧値が最も低いとする。蓄電装置２０Ａの制御部２１は、自装置の第１の電圧値よりも高い第２の電圧値を指定して放電させる制御信号を受信した場合、スイッチング部２５により電力の入出力を遮断して、放電を実施しない。蓄電システム１の他の蓄電装置２０からの放電が進み、他の蓄電装置２０の電圧値が下がる。他の蓄電装置２０の電圧値が下がることで第２の電圧値も下がる。その後、自装置の第１の電圧値と第２の電圧値との電位差が所定の範囲になったのち、第２の電圧値を指定して放電させる制御信号を受信した場合、制御部２１は、スイッチング部２５により電力の入出力を可能にして、放電を実施する。これにより、蓄電システム１に含まれる蓄電装置２０Ａ、２０Ｂ及び２０Ｃは互いの電位差を解消して、放電を継続することができる。
【００３８】
また、制御部２１は、第１の電圧値と第２の電圧値とに基づいて、スイッチング部２５を制御して、端子部２４と蓄電部２２との間で入出力される電力を変圧してもよい。制御部２１は、例えば、第１の電圧値と第２の電圧値との電位差を算出してもよい。制御部２１は、電位差が所定の範囲内にないと判定されると、スイッチング部２５に入力された電力を電位差の分だけ昇圧又は降圧させて出力するようにスイッチング部２５を制御してもよい。制御部２１は、電位差が所定の範囲内にあると判定されると、スイッチング部２５に入力された電力を変圧せずにそのまま出力するようにスイッチング部２５を制御してもよい。
【００３９】
例えば、蓄電システム１に含まれる蓄電装置２０Ａ、２０Ｂ及び２０Ｃに電位差が生じており、蓄電装置２０Ａの電圧値が最も低いとする。蓄電装置２０Ａの制御部２１は、自装置の第１の電圧値よりも高い第２の電圧値を指定して放電させる制御信号を受信した場合、スイッチング部２５により第１の電圧値と第２の電圧値との電位差だけ電力を昇圧して、放電を実施する。蓄電システム１の他の蓄電装置２０からの放電が進み、他の蓄電装置２０の電圧値が下がる。他の蓄電装置２０の電圧値が下がることで第２の電圧値も下がる。その後、自装置の第１の電圧値と第２の電圧値との電位差が所定の範囲になったのち、第２の電圧値を指定して放電させる制御信号を受信した場合、制御部２１は、スイッチング部２５により電力を昇圧せずに、放電を実施する。これにより、蓄電システム１に含まれる蓄電装置２０Ａ、２０Ｂ及び２０Ｃは互いの電位差を解消して、放電を継続することができる。
【００４０】
本開示において、前述した制御部２１をはじめとする蓄電装置２０の機能の一部又は全部は、蓄電装置２０を制御する制御装置により提供されてもよい。制御装置は、蓄電装置２０に含まれてもよく、或いは蓄電装置２０の外部に別体として設けられてもよい。別体として設けられる場合、制御装置は、例えばホームエネルギーマネジメントシステム（Home Energy Management System：ＨＥＭＳ）、バッテリーマネジメントシステム（Battery Management System：ＢＭＳ）、リモコン、携帯電話、スマートフォン、タブレット端末又はＰＣ（Personal Computer）等を含む、蓄電装置２０を制御可能な情報処理装置であってもよい。また、制御装置は、上述したパワーコンディショナ１０、或いは他の蓄電装置２０であってもよい。
【００４１】
（蓄電システムの動作例）
以下、本開示の一実施形態に係る蓄電システム１が実行する、蓄電装置２０の制御の一例を説明する。図１に示すように、蓄電システム１には、パワーコンディショナ１０、蓄電装置２０Ａ、２０Ｂ及び２０Ｃの機器が含まれる。蓄電装置２０Ａ、２０Ｂ及び２０Ｃは並列に接続されている。蓄電システム１において、パワーコンディショナ１０は蓄電装置２０Ａ、２０Ｂ及び２０Ｃの制御装置として動作するものとする。図６に、蓄電システム１の処理のシーケンス図を示す。具体的には、蓄電装置２０Ａ、２０Ｂ及び２０Ｃは第１の電圧値を測定して、パワーコンディショナ１０に送信する（ステップＳ１０１〜Ｓ１０２）。パワーコンディショナ１０は蓄電装置２０Ａ、２０Ｂ及び２０Ｃから受信した第１の電圧値の最大値又は最小値を算出して第２の電圧値とする（ステップＳ１０３）。パワーコンディショナ１０は第２の電圧値を指定して充電又は放電させる制御信号を蓄電装置２０Ａ、２０Ｂ及び２０Ｃに送信する（ステップＳ１０４）。蓄電装置２０Ａ、２０Ｂ及び２０Ｃは、第１の電圧値と第２の電圧値とに基づいてスイッチング部２５を制御して、充電又は放電を実行する（ステップＳ１０５）。パワーコンディショナ１０、蓄電装置２０Ａ、２０Ｂ及び２０Ｃは上述した動作を繰り返すことにより、蓄電システム１による充放電を実現する。以下、蓄電システム１の動作例の詳細を、蓄電装置２０Ａが上述した構成例１〜４のスイッチング部２５を備える場合ごとに説明する。
【００４２】
（蓄電システムの動作例１）
図１、図２及び図７を参照して、蓄電装置２０が構成例１のスイッチング部２５を備える蓄電システム１の放電時の動作例を説明する。パワーコンディショナ１０は、蓄電装置２０Ａ、２０Ｂ及び２０Ｃが測定した第１の電圧値を受信する（ステップＳ１０1、ステップＳ１０２）。蓄電システム１の放電時に、パワーコンディショナ１０は、蓄電装置２０Ａ、２０Ｂ及び２０Ｃの第１の電圧値の最大値を第２の電圧値とする（ステップＳ１０３）。パワーコンディショナ１０は、第２の電圧値を指定して放電させる制御信号を蓄電装置２０Ａ、２０Ｂ及び２０Ｃに送信する（ステップＳ１０４）。例えば、図７に示すように、蓄電装置２０Ａ、２０Ｂ及び２０Ｃの第１の電圧値をそれぞれＶａ、Ｖｂ及びＶｃとし、時刻tsにおいてＶａ＞Ｖｂ＞Ｖｃであるとする。パワーコンディショナ１０は、時刻tsに蓄電システム１の放電を開始させる場合、第２の電圧値Ｖ２にＶａの値を指定して放電させる制御信号を蓄電装置２０Ａ、２０Ｂ及び２０Ｃに送信する。蓄電装置２０Ａ、２０Ｂ及び２０Ｃは放電の制御信号を受信すると、それぞれの蓄電部２２にかかる第１の電圧値Ｖａ、Ｖｂ及びＶｃと、制御信号に含まれる第２の電圧値Ｖ２とを比較する（ステップＳ１０５）。蓄電装置２０Ａ、２０Ｂ及び２０Ｃは第１の電圧値と第２の電圧値の差が所定の範囲内であればスイッチング部２５を制御して放電を実施する。また、蓄電装置２０Ａ、２０Ｂ及び２０Ｃは第１の電圧値と第２の電圧値の差が所定の範囲内になければスイッチング部２５を制御して放電を停止する（ステップＳ１０６）。時刻ｔｓにおいて、Ｖ２＝Ｖａ＞Ｖｂ＞Ｖｃであるため、蓄電装置２０Ａのみが放電を開始する。一方で、蓄電装置２０Ｂ及び２０Ｃは放電を開始しない。
【００４３】
パワーコンディショナ１０は、蓄電システム１の充放電中に、蓄電装置２０Ａ、２０Ｂ及び２０Ｃそれぞれの第１の電圧値を例えば一定の時間間隔にて受信し、それらの最大の電圧値を第２の電圧値に再設定する。図７において、第２の電圧値の遷移を実線で示す。パワーコンディショナ１０は、第２の電圧値が再設定されるたびに、再設定された第２の電圧値を指定して放電させる制御信号を蓄電装置２０Ａ、２０Ｂ及び２０Ｃに送信する。蓄電装置２０Ａの放電が進み、時刻ｔ１において、蓄電装置２０Ａの第１の電圧値がＶｂと等しくなると、パワーコンディショナ１０により制御信号に設定される第２の電圧値Ｖ２はＶａ及びＶｂと等しくなる。Ｖ２＝Ｖａ＝Ｖｂ＞Ｖｃであるため、蓄電装置２０Ａに加え、蓄電装置２０Ｂが放電を実施する。一方で、蓄電装置２０Ｃは放電を実施しない。更に蓄電装置２０Ａ及び２０Ｂの放電が進み、時刻ｔ２において、第２の電圧値Ｖ２がＶａ、Ｖｂ及びＶｃと等しくなると、Ｖ２＝Ｖａ＝Ｖｂ＝Ｖｃとなるため、蓄電装置２０Ｃが放電を開始する。これにより蓄電装置２０Ａ、２０Ｂ及び２０Ｃの放電が実施される。その後、それぞれの蓄電装置は、放電を終了させる制御信号を受信し、或いは第１の電圧値がぞれぞれの蓄電装置に設定された放電終了電圧値に達することにより放電の終了条件が満たされると、放電を終了する。
【００４４】
（蓄電装置の処理例１）
図８を参照して、本開示の一実施形態に係る蓄電装置である蓄電装置２０が実行する処理の一例を説明する。本処理は、構成例１のスイッチング部２５を備える蓄電装置２０による放電処理である。
【００４５】
ステップＳ２０１：制御部２１は、測定部２３により第１の電圧値を測定する。
【００４６】
ステップＳ２０２：制御部２１は、第１の電圧値を示す信号を送信する。
【００４７】
ステップＳ２０３：制御部２１は、第２の電圧値を示す信号を受信する。
【００４８】
ステップＳ２０４：制御部２１は、第１の電圧値と第２の電圧値の電位差が所定の範囲内か否かを判定する。
【００４９】
ステップＳ２０５：制御部２１は、電位差が所定の範囲内である場合（ステップＳ２０４−Ｙｅｓ）、スイッチング部２５をオンにして放電を実施する。
【００５０】
ステップＳ２０６：制御部２１は、電位差が所定の範囲内にない場合（ステップＳ２０４−Ｎｏ）、スイッチング部２５をオフにして放電を停止する。
【００５１】
ステップＳ２０７：制御部２１は、放電の終了条件が満たされたか否かを判定する。制御部２１は、終了条件が満たされた場合（ステップＳ２０７−Ｙｅｓ）、本処理を終了する。制御部２１は、終了条件が満たされていない場合（ステップＳ２０７−Ｎｏ）、Ｓ２０１から本処理を繰り返す。
【００５２】
図１、図２及び図９を参照して、蓄電装置２０が構成例１のスイッチング部２５を備える蓄電システム１の充電時の動作例を説明する。蓄電装置２０Ａ、２０Ｂ及び２０Ｃのそれぞれが満充電まで充電された際の第１の電圧値Ｖａ、Ｖｂ及びＶｃを最大電圧値Ｖａｍａｘ、Ｖｂｍａｘ及びＶｃｍａｘとする。パワーコンディショナ１０は、充電対象とする全ての蓄電装置２０が最大電圧値に達するまでは定電流制御を行い、達した場合には定電圧制御を行う。そのために、蓄電システム１の充電時に、パワーコンディショナ１０は、蓄電装置２０Ａ、２０Ｂ及び２０Ｃの第１の電圧値の最大値を第２の電圧値Ｖ２に指定して充電させる制御信号を蓄電装置２０Ａ、２０Ｂ及び２０Ｃに送信する。
【００５３】
充電の初期段階では定電流制御が行われる。図９の時刻ｔ１において蓄電装置２０Ｃの第１の電圧値ＶｃがＶｃｍａｘに達するまでは、蓄電装置２０Ａ、２０Ｂ及び２０Ｃの第１の電圧値Ｖａ、Ｖｂ及びＶｃには等しい電圧がかかる。そのため、第２の電圧値Ｖ２＝Ｖａ＝Ｖｂ＝Ｖｃのまま充電が進められる。蓄電装置２０Ａ、２０Ｂ及び２０Ｃのそれぞれは自装置の蓄電部２２にかかる第１の電圧値Ｖａ、Ｖｂ及びＶｃと制御信号に含まれる第２の電圧値Ｖ２とを比較する。蓄電装置２０Ａ、２０Ｂ及び２０Ｃのそれぞれは、第１の電圧値と第２の電圧値の差が所定の範囲内であるため、スイッチング部２５をオンに制御して第２の電圧値Ｖ２で充電を実施する。
【００５４】
その後、時刻ｔ１において、蓄電装置２０Ｃの第１の電圧値Ｖｃが最大電圧値Ｖｃｍａｘに達すると、蓄電装置２０Ｃの第１の電圧値Ｖｃはそれ以上上昇できないため、蓄電装置２０Ｃの第１の電圧値Ｖｃと第２の電圧値Ｖ２との差が所定の範囲を超える。蓄電装置２０Ｃは、他の蓄電装置２０Ａ及び２０Ｂの充電が継続しているため、スイッチング部２５をオフに制御して自装置の充電を終了する。蓄電装置２０Ｂも同様に、時刻ｔ２までは第２の電圧値Ｖ２で充電を実施し、時刻ｔ２において第１の電圧値Ｖｂが最大電圧値Ｖｂｍａｘに達すると、他の蓄電装置２０Ａの充電が継続しているため、自装置の充電を終了する。蓄電装置２０Ｂ及び２０Ｃの第１の電圧値Ｖｂ及びＶｃは、図９に示すように、充電終了後、自然放電により徐々に低下する。蓄電装置２０Ａは、時刻ｔｅまでは第２の電圧値Ｖ２で充電を実施し、時刻ｔｅにおいて第１の電圧値Ｖａが最大電圧値Ｖａｍａｘに達すると、他の蓄電装置２０Ａの充電が継続しているか否かを判定する。時刻ｔｅにおいて、他に充電中の蓄電装置２０がないため、充電を継続する。以後、パワーコンディショナ１０からは蓄電装置２０Ａの第１の電圧値Ｖａ＝Ｖａｍａｘを第２の電圧値Ｖ２に指定して充電させる制御信号が送信される。そのため、蓄電装置２０Ａにおいて、充電の終了条件が満たされるまで、自然放電を補うトリクル充電による定電圧制御が行われる。
【００５５】
（蓄電装置の処理例２）
図１０を参照して、本開示の一実施形態に係る蓄電装置である蓄電装置２０が実行する処理の一例を説明する。本処理は、構成例１のスイッチング部２５を備える蓄電装置２０による充電処理である。
【００５６】
ステップＳ３０１：制御部２１は、測定部２３により第１の電圧値を測定する。
【００５７】
ステップＳ３０２：制御部２１は、第１の電圧値を示す信号を送信する。
【００５８】
ステップＳ３０３：制御部２１は、第２の電圧値を示す信号を受信する。
【００５９】
ステップＳ３０４：制御部２１は、第１の電圧値と第２の電圧値の電位差が所定の範囲内か否かを判定する。
【００６０】
ステップＳ３０５：制御部２１は、電位差が所定の範囲内である場合（ステップＳ３０４−Ｙｅｓ）、スイッチング部２５をオンにして充電を実施する。
【００６１】
ステップＳ３０６：制御部２１は、電位差が所定の範囲内にない場合（ステップＳ３０４−Ｎｏ）、他に充電中の蓄電装置２０があるか否かを判定する。制御部２１は、他に充電中の蓄電装置２０がある場合（ステップＳ３０６−Ｙｅｓ）、スイッチング部２５をオンにして充電を実施する。
【００６２】
ステップＳ３０７：制御部２１は、他に充電中の蓄電装置２０がない場合（ステップＳ３０６−Ｎｏ）、スイッチング部２５をオフにして充電を停止して、本処理を終了する。
【００６３】
ステップＳ３０８：制御部２１は、充電の終了条件が満たされたか否かを判定する。制御部２１は、終了条件が満たされた場合（ステップＳ３０８−Ｙｅｓ）、本処理を終了する。制御部２１は、終了条件が満たされていない場合（ステップＳ３０８−Ｎｏ）、Ｓ３０１から本処理を繰り返す。
【００６４】
（蓄電システムの動作例２）
図１、図３、図１１を参照して、蓄電装置２０が構成例２のスイッチング部２５を備える蓄電システム１の放電時の動作例を説明する。蓄電システム１の放電時に、パワーコンディショナ１０は、蓄電装置２０Ａ、２０Ｂ及び２０Ｃの第１の電圧値の最小値を第２の電圧値Ｖ２に指定して放電させる制御信号を蓄電装置２０Ａ、２０Ｂ及び２０Ｃに送信する。例えば、図１１に示すように、蓄電装置２０Ａ、２０Ｂ及び２０Ｃの第１の電圧値をそれぞれＶａ、Ｖｂ及びＶｃとし、時刻tsにおいてＶａ＞Ｖｂ＞Ｖｃであるとする。パワーコンディショナ１０は、時刻tsに蓄電システム１の放電を開始させる場合、第２の電圧値Ｖ２にＶｃの値を指定して放電させる制御信号を蓄電装置２０Ａ、２０Ｂ及び２０Ｃに送信する。蓄電装置２０Ａ、２０Ｂ及び２０Ｃは放電の制御信号を受信すると、それぞれの蓄電部２２にかかる第１の電圧値Ｖａ、Ｖｂ及びＶｃと、制御信号に含まれる第２の電圧値Ｖ２とを比較する。蓄電装置２０Ａ、２０Ｂ及び２０Ｃは第１の電圧値と第２の電圧値の差が所定の範囲内であればスイッチング部２５に入力された電力を変圧せずにそのまま出力するようにスイッチング部２５を制御して放電を実施する。一方で、蓄電装置２０Ａ、２０Ｂ及び２０Ｃは第１の電圧値と第２の電圧値の差が所定の範囲内になければスイッチング部２５を制御して第１の電圧値から第２の電圧値まで降圧して放電を実施する。時刻t１までは、Ｖ２＝Ｖｃ＜Ｖｂ＜Ｖａであるため、蓄電装置２０Ｃのみが第１の電圧値のまま放電を実施する。一方で、蓄電装置２０Ａ及び２０Ｂは、それぞれ第１の電圧値Ｖａ及びＶｂから第２の電圧値Ｖ２に降圧して放電を実施する。
【００６５】
パワーコンディショナ１０は、蓄電システム１の放電中に、蓄電装置２０Ａ、２０Ｂ及び２０Ｃそれぞれの第１の電圧値を一定の時間間隔にて受信し、それらの最小の電圧値を第２の電圧値Ｖ２に再設定する。図１１において、第２の電圧値Ｖ２の遷移を実線で示す。パワーコンディショナ１０は、第２の電圧値Ｖ２が再設定されるたびに、再設定された第２の電圧値Ｖ２を指定して放電させる制御信号を蓄電装置２０Ａ、２０Ｂ及び２０Ｃに送信する。それぞれの蓄電装置２０の放電が進み、時刻ｔ１において、蓄電装置２０Ｂの第１の電圧値がＶｃと等しくなると、パワーコンディショナ１０により設定される第２の電圧値Ｖ２はＶａ及びＶｂと等しくなる。Ｖ２＝Ｖｃ＝Ｖｂ＜Ｖａであるため、蓄電装置２０Ｂ及び２０Ｃは変圧せずに第１の電圧値Ｖｂ及びＶｃで放電を行う。一方で、蓄電装置２０Ａは第１の電圧値Ｖａから第２の電圧値Ｖ２に変圧して放電を行う。その後、更に蓄電装置２０の放電が進み、時刻ｔ２において、第２の電圧値Ｖ２がＶａ、Ｖｂ及びＶｃと等しくなると、Ｖ２＝Ｖａ＝Ｖｂ＝Ｖｃとなるため、蓄電装置２０Ａ、２０Ｂ及び２０Ｃは変圧せずに第１の電圧値Ｖａ、Ｖｂ及びＶｃで放電を行う。その後、それぞれの蓄電装置は、放電を終了させる制御信号を受信し、或いは第１の電圧値がぞれぞれの蓄電装置に設定された放電終了電圧値に達することにより放電の終了条件が満たされると、放電を終了する。
【００６６】
（蓄電装置の処理例３）
図１２を参照して、本開示の一実施形態に係る蓄電装置である蓄電装置２０が実行する処理の一例を説明する。本処理は、構成例２のスイッチング部２５を備える蓄電装置２０による放電処理である。
【００６７】
ステップＳ４０１：制御部２１は、測定部２３により第１の電圧値を測定する。
【００６８】
ステップＳ４０２：制御部２１は、第１の電圧値を示す信号を送信する。
【００６９】
ステップＳ４０３：制御部２１は、第２の電圧値を示す信号を受信する。
【００７０】
ステップＳ４０４：制御部２１は、第１の電圧値第２の電圧値の電位差が所定の範囲内か否かを判定する。
【００７１】
ステップＳ４０５：制御部２１は、電位差が所定の範囲内である場合（ステップＳ４０４−Ｙｅｓ）、スイッチング部２５で降圧せずに放電を実施する。
【００７２】
ステップＳ４０６：制御部２１は、電位差が所定の範囲内にない場合（ステップＳ４０４−Ｎｏ）、スイッチング部２５で降圧して放電を実施する。
【００７３】
ステップＳ４０７：制御部２１は、放電の終了条件が満たされたか否かを判定する。制御部２１は、終了条件が満たされた場合（ステップＳ４０７−Ｙｅｓ）、本処理を終了する。制御部２１は、終了条件が満たされていない場合（ステップＳ４０７−Ｎｏ）、Ｓ４０１から本処理を繰り返す。
【００７４】
構成例２の蓄電装置２０を有する蓄電システム１の充電時の動作は、図１、図２及び図７を参照して上述した構成例１の蓄電装置２０を有する蓄電システム１と同様である。蓄電システム１の充電時に、パワーコンディショナ１０は、蓄電装置２０Ａ、２０Ｂ及び２０Ｃの第１の電圧値の最大値を第２の電圧値に指定して充電させる制御信号を蓄電装置２０Ａ、２０Ｂ及び２０Ｃに送信する。蓄電装置２０Ａ、２０Ｂ及び２０Ｃのそれぞれが満充電まで充電された際の第１の電圧値Ｖａ、Ｖｂ及びＶｃを最大電圧値Ｖａｍａｘ、Ｖｂｍａｘ及びＶｃｍａｘとする。パワーコンディショナ１０は、充電対象とする全ての蓄電装置２０がそれぞれの最大電圧値に達するまでは定電流制御を行い、達した場合には定電圧制御を行う。それぞれの蓄電装置２０は第１の電圧値が最大電圧値に達するまでは、第２の電圧値Ｖ２で充電を実施する。それぞれの蓄電装置２０は第１の電圧値が最大電圧値に達すると、他の蓄電装置２０の充電が継続している場合には、自装置の充電を終了する。一方で、それぞれの蓄電装置２０は第１の電圧値が最大電圧値に達すると、他の蓄電装置２０の充電が継続していない場合には、自装置の充電を継続する。構成例２のスイッチング部２５を備える蓄電装置２０による充電処理は、図１０を参照して上述した構成例１のスイッチング部２５を備える蓄電装置２０による充電処理と同様である。
【００７５】
（蓄電システムの動作例３）
図１、図４を参照して、蓄電装置２０が構成例３のスイッチング部２５を備える蓄電システム１の放電時の動作例を説明する。放電時の蓄電システム１の動作は、図１、図３、図１１を参照して上述した構成例２の蓄電装置２０を有する蓄電システム１と同様である。蓄電システム１の放電時に、パワーコンディショナ１０は、蓄電装置２０Ａ、２０Ｂ及び２０Ｃの第１の電圧値の最小値を第２の電圧値に指定して放電させる制御信号を蓄電装置２０Ａ、２０Ｂ及び２０Ｃに送信する。蓄電装置２０Ａ、２０Ｂ及び２０Ｃは放電の制御信号を受信すると、それぞれの蓄電部２２にかかる第１の電圧値Ｖａ、Ｖｂ及びＶｃと、制御信号に含まれる第２の電圧値Ｖ２とを比較する。蓄電装置２０Ａ、２０Ｂ及び２０Ｃは第１の電圧値と第２の電圧値の差が所定の範囲内であれば第１の電圧値のまま放電を実施し、第１の電圧値と第２の電圧値の差が所定の範囲内になければ第１の電圧値から第２の電圧値まで降圧して放電を実施する。それぞれの蓄電装置２０の放電が進み、全ての蓄電装置２０の第１の電圧値が第２の電圧値と等しくなると、蓄電装置２０は変圧せずに第１の電圧値で放電を行う。その後、それぞれの蓄電装置は、放電の終了条件が満たされると、放電を終了する。構成例３のスイッチング部２５を備える蓄電装置２０による放電処理は、図１２を参照して上述した構成例２のスイッチング部２５を備える蓄電装置２０による放電処理と同様である。
【００７６】
図１、図４及び図１３を参照して、蓄電装置２０が構成例３のスイッチング部２５を備える蓄電システム１の充電時の動作例を説明する。蓄電装置２０Ａ、２０Ｂ及び２０Ｃのそれぞれが満充電まで充電された際の第１の電圧値Ｖａ、Ｖｂ及びＶｃを最大電圧値Ｖａｍａｘ、Ｖｂｍａｘ及びＶｃｍａｘとする。パワーコンディショナ１０は、充電対象とする蓄電装置２０のいずれかが最大電圧値に達するまでは定電流制御を行い、達した場合には定電圧制御を行う。そのために、蓄電システム１の充電時に、パワーコンディショナ１０は、蓄電装置２０Ａ、２０Ｂ及び２０Ｃの第１の電圧値の最小値を第２の電圧値に指定して充電させる制御信号を蓄電装置２０Ａ、２０Ｂ及び２０Ｃに送信する。
【００７７】
充電の初期段階では定電流制御が行われる。図１３の時刻ｔ１において、蓄電装置２０Ｃの第１の電圧値ＶｃがＶｃｍａｘに達するまでは、蓄電装置２０Ａ、２０Ｂ及び２０Ｃの第１の電圧値Ｖａ、Ｖｂ及びＶｃには等しい電圧がかかる。そのため、第２の電圧値Ｖ２＝Ｖａ＝Ｖｂ＝Ｖｃのまま充電が進められる。蓄電装置２０Ａ、２０Ｂ及び２０Ｃのそれぞれは自装置の蓄電部２２にかかる第１の電圧値Ｖａ、Ｖｂ及びＶｃと制御信号に含まれる第２の電圧値Ｖ２とを比較する。蓄電装置２０Ａ、２０Ｂ及び２０Ｃのそれぞれは、第１の電圧値と第２の電圧値の差が所定の範囲内であるため、スイッチング部２５で昇圧を行わずに第２の電圧値で充電を実施する。
【００７８】
その後、時刻ｔ１において、蓄電装置２０Ｃの第１の電圧値Ｖｃが最大電圧値Ｖｃｍａｘに達すると、蓄電装置２０Ｃの第１の電圧値Ｖｃはそれ以上上昇できないため、蓄電装置２０Ｃの第１の電圧値Ｖｃと第２の電圧値Ｖ２との差が所定の範囲を超える。以後、パワーコンディショナ１０からは蓄電装置２０Ｃの第１の電圧値Ｖｃ＝Ｖｃｍａｘを第２の電圧値に指定して充電させる制御信号が送信されるため、自然放電を補うトリクル充電による定電圧制御が行われる。一方で、蓄電装置２０Ａ及び２０Ｂは、時刻ｔ１以降、第２の電圧値Ｖ２＝Ｖｃ＜Ｖｂ＜Ｖａであるため、入力された電力を第２の電圧値Ｖ２を、時刻ｔ１までの自装置の定電流制御を維持する第１の電圧値Ｖａ又はＶｂまで昇圧する。蓄電装置２０Ｂは時刻ｔ２において第１の電圧値Ｖｂが最大電圧値Ｖｂｍａｘに達すると、第１の電圧値Ｖｂをそれ以上上昇させられないため、入力された電力を第２の電圧値Ｖ２から第１の電圧値Ｖｂまで昇圧させる。そのため、蓄電装置２０Ｂは充電の終了条件が満たされるまで、自然放電を補うトリクル充電による定電圧制御が行われる。蓄電装置２０Ａも同様に、時刻ｔｅにおいて第１の電圧値Ｖａが最大電圧値Ｖａｍａｘに達すると、それ以降は入力された電力を第２の電圧値Ｖ２から第１の電圧値Ｖａまで昇圧させて、定電圧制御が行われる。
【００７９】
（蓄電装置の処理例４）
図１４を参照して、本開示の一実施形態に係る蓄電装置である蓄電装置２０が実行する処理の一例を説明する。本処理は、構成例３のスイッチング部２５を備える蓄電装置２０による充電処理である。
【００８０】
ステップＳ５０１：制御部２１は、測定部２３により第１の電圧値を測定する。
【００８１】
ステップＳ５０２：制御部２１は、第１の電圧値を示す信号を送信する。
【００８２】
ステップＳ５０３：制御部２１は、第２の電圧値を示す信号を受信する。
【００８３】
ステップＳ５０４：制御部２１は、第１の電圧値と第２の電圧値の電位差が所定の範囲内か否かを判定する。
【００８４】
ステップＳ５０５：制御部２１は、電位差が所定の範囲内である場合（ステップＳ５０４−Ｙｅｓ）、スイッチング部２５で昇圧せずに充電を実施する。
【００８５】
ステップＳ５０６：制御部２１は、電位差が所定の範囲内にない場合（ステップＳ５０４−Ｎｏ）、第１の電圧値と最大電圧値の電位差が所定の範囲内か否かを判定する。
【００８６】
ステップＳ５０７：制御部２１は、電位差が所定の範囲内である場合（ステップＳ５０６−Ｙｅｓ）、スイッチング部２５で昇圧して定電圧制御による充電を実施する。
【００８７】
ステップＳ５０８：制御部２１は、電位差が所定の範囲内にない場合（ステップＳ５０６−Ｎｏ）、スイッチング部２５で昇圧して定電流制御による充電を実施する。
【００８８】
ステップＳ５０９：制御部２１は、充電の終了条件が満たされたか否かを判定する。制御部２１は、終了条件が満たされた場合（ステップＳ５０９−Ｙｅｓ）、本処理を終了する。制御部２１は、終了条件が満たされていない場合（ステップＳ５０９−Ｎｏ）、Ｓ５０１から本処理を繰り返す。
【００８９】
（蓄電システムの動作例４）
図１、図５、図１５を参照して、蓄電装置２０が構成例４のスイッチング部２５を備える蓄電システム１の放電時の動作例を説明する。蓄電システム１の放電時に、パワーコンディショナ１０は、蓄電装置２０Ａ、２０Ｂ及び２０Ｃの第１の電圧値の最大値を第２の電圧値に指定して放電させる制御信号を蓄電装置２０Ａ、２０Ｂ及び２０Ｃに送信する。上述した蓄電システム１の動作例３では、蓄電装置２０の第１の電圧値の最小値が第２の電圧値に指定されていたのに対し、本動作例では、最大値が第２の電圧値に指定されるため、蓄電装置２０に対して動作例３と逆方向の電圧制御が行われる。図１５において、パワーコンディショナ１０は、時刻ｔｓにおいて、蓄電システム１の放電を開始させる場合、第２の電圧値Ｖ２をＶａとする。蓄電装置２０Ａ、２０Ｂ及び２０Ｃは放電の制御信号を受信すると、それぞれの蓄電部２２にかかる第１の電圧値Ｖａ、Ｖｂ及びＶｃと、制御信号に含まれる第２の電圧値Ｖ２とを比較する。蓄電装置２０Ａ、２０Ｂ及び２０Ｃは第１の電圧値と第２の電圧値の差が所定の範囲内であれば第１の電圧値のまま放電を実施し、第１の電圧値と第２の電圧値の差が所定の範囲内になければ第１の電圧値から第２の電圧値まで昇圧して放電を実施する。蓄電装置２０Ａは、時刻ｔｓ以降、変圧せずに第１の電圧値Ｖａで放電を行う。蓄電装置２０Ｂは、時刻ｔｓから時刻ｔ１までは第１の電圧値Ｖｂから第２の電圧値Ｖ２まで昇圧して放電を実施し、時刻ｔ１において、自装置と蓄電装置２０Ａとの電位差が所定の範囲内になると、それ以降は変圧せずに第１の電圧値Ｖｂで放電を行う。蓄電装置２０Ｃも同様に、時刻ｔｓから時刻ｔ２までは第１の電圧値Ｖｃから第２の電圧値Ｖ２まで昇圧して放電を実施する。蓄電装置２０Ｃは、時刻ｔ２において、自装置と蓄電装置２０Ａ及び２０Ｂとの電位差が所定の範囲内になると、それ以降は変圧せずに第１の電圧値Ｖｂで放電を行う。時刻ｔ２以降は、蓄電装置２０Ａ、２０Ｂ及び２０Ｃは変圧せずに放電を行い、放電の終了条件が満たされると、放電を終了する。
【００９０】
（蓄電装置の処理例５）
図１６を参照して、本開示の一実施形態に係る蓄電装置である蓄電装置２０が実行する処理の一例を説明する。本処理は、構成例４のスイッチング部２５を備える蓄電装置２０による放電処理である。
【００９１】
ステップＳ６０１：制御部２１は、測定部２３により第１の電圧値を測定する。
【００９２】
ステップＳ６０２：制御部２１は、第１の電圧値を示す信号を送信する。
【００９３】
ステップＳ６０３：制御部２１は、第２の電圧値を示す信号を受信する。
【００９４】
ステップＳ６０４：制御部２１は、第１の電圧値第２の電圧値の電位差が所定の範囲内か否かを判定する。
【００９５】
ステップＳ６０５：制御部２１は、電位差が所定の範囲内である場合（ステップＳ６０４−Ｙｅｓ）、スイッチング部２５で昇圧せずに放電を実施する。
【００９６】
ステップＳ６０６：制御部２１は、電位差が所定の範囲内にない場合（ステップＳ６０４−Ｎｏ）、スイッチング部２５で昇圧して放電を実施する。
【００９７】
ステップＳ６０７：制御部２１は、放電の終了条件が満たされたか否かを判定する。制御部２１は、終了条件が満たされた場合（ステップＳ６０７−Ｙｅｓ）、本処理を終了する。制御部２１は、終了条件が満たされていない場合（ステップＳ６０７−Ｎｏ）、Ｓ６０１から本処理を繰り返す。
【００９８】
図１、図５及び図１７を参照して、蓄電装置２０が構成例３のスイッチング部２５を備える蓄電システム１の充電時の動作例を説明する。蓄電システム１の充電時に、パワーコンディショナ１０は、蓄電装置２０Ａ、２０Ｂ及び２０Ｃの第１の電圧値の最大値を第２の電圧値に指定して充電させる制御信号を蓄電装置２０Ａ、２０Ｂ及び２０Ｃに送信する。上述した蓄電システム１の動作例３では、蓄電装置２０の第１の電圧値の最小値が第２の電圧値に指定されていたのに対し、本動作例では、最大値が第２の電圧値に指定されるため、蓄電装置２０に対して動作例３と逆方向の電圧制御が行われる。蓄電システム１の充電時に、パワーコンディショナ１０は、蓄電装置２０Ａ、２０Ｂ及び２０Ｃの第１の電圧値の最大値を第２の電圧値に指定して充電させる制御信号を蓄電装置２０Ａ、２０Ｂ及び２０Ｃに送信する。蓄電装置２０Ａ、２０Ｂ及び２０Ｃのそれぞれが満充電まで充電された際の第１の電圧値Ｖａ、Ｖｂ及びＶｃを最大電圧値Ｖａｍａｘ、Ｖｂｍａｘ及びＶｃｍａｘとする。パワーコンディショナ１０は、充電対象とする全ての蓄電装置２０がそれぞれの最大電圧値に達するまでは定電流制御を行い、達した場合には定電圧制御を行う。それぞれの蓄電装置２０は第１の電圧値が最大電圧値に達するまでは、降圧せずに第２の電圧値Ｖ２で充電を実施する。それぞれの蓄電装置２０は第１の電圧値が最大電圧値に達すると、自装置の充電を第２の電圧値を第１の電圧値まで降圧して充電を実施する。蓄電装置２０Ｃは、時刻ｔ１において第１の電圧値Ｖｃが最大電圧値Ｖｃｍａｘに達するまでは降圧せず第２の蓄電装置Ｖ２のまま充電を継続し、時刻ｔ１以降は、第２の電圧値Ｖ２から第１の電圧値Ｖｃまで降圧して充電を実施する。蓄電装置２０Ｂは、時刻ｔ２において第１の電圧値Ｖｂが最大電圧値Ｖｂｍａｘに達するまでは降圧せず第２の蓄電装置Ｖ２のまま充電を継続し、時刻ｔ２以降は、第２の電圧値Ｖ２から第１の電圧値Ｖｂまで降圧して充電を実施する。蓄電装置２０Ａは、時刻ｔｅにおいて第１の電圧値Ｖａが最大電圧値Ｖａｍａｘに達するまでは降圧せず第２の電圧値Ｖ２のまま充電を継続する。蓄電装置２０Ａは、時刻ｔ２以降も、第２の電圧値Ｖ２は第１の電圧値Ｖａと等しいので、降圧せず第２の電圧値Ｖ２のまま充電を継続する。
【００９９】
（蓄電装置の処理例６）
図１８を参照して、本開示の一実施形態に係る蓄電装置である蓄電装置２０が実行する処理の一例を説明する。本処理は、構成例４のスイッチング部２５を備える蓄電装置２０による充電処理である。
【０１００】
ステップＳ７０１：制御部２１は、測定部２３により第１の電圧値を測定する。
【０１０１】
ステップＳ７０２：制御部２１は、第１の電圧値を示す信号を送信する。
【０１０２】
ステップＳ７０３：制御部２１は、第２の電圧値を示す信号を受信する。
【０１０３】
ステップＳ７０４：制御部２１は、第１の電圧値と第２の電圧値の電位差が所定の範囲内か否かを判定する。
【０１０４】
ステップＳ７０５：制御部２１は、電位差が所定の範囲内である場合（ステップＳ７０４−Ｙｅｓ）、スイッチング部２５で降圧せずに充電を実施する。
【０１０５】
ステップＳ７０６：制御部２１は、電位差が所定の範囲内にない場合（ステップＳ７０４−Ｎｏ）、第１の電圧値と最大電圧値の電位差が所定の範囲内か否かを判定する。
【０１０６】
ステップＳ７０７：制御部２１は、電位差が所定の範囲内である場合（ステップＳ７０６−Ｙｅｓ）、スイッチング部２５で降圧して定電圧制御による充電を実施する。
【０１０７】
ステップＳ７０８：制御部２１は、電位差が所定の範囲内にない場合（ステップＳ７０６−Ｎｏ）、スイッチング部２５で降圧して定電流制御による充電を実施する。
【０１０８】
ステップＳ７０９：制御部２１は、充電の終了条件が満たされたか否かを判定する。制御部２１は、終了条件が満たされた場合（ステップＳ７０９−Ｙｅｓ）、本処理を終了する。制御部２１は、終了条件が満たされていない場合（ステップＳ７０９−Ｎｏ）、Ｓ７０１から本処理を繰り返す。
【０１０９】
以上述べたように、本実施形態によれば、蓄電装置２０は、電線を介して他の蓄電装置と並列に接続される端子部２４と、蓄電部２２と、端子部２４と蓄電部２２との間に設けられたスイッチング部２５と、蓄電部２２にかかる第１の電圧値を測定する測定部２３と、端子部２４にかかる第２の電圧値を示す信号を受信する通信部２７と、第１の電圧値と第２の電圧値とに基づいてスイッチング部２５を制御する制御部２１とを備える。かかる構成によれば、蓄電装置２０は、並列に接続された他の蓄電装置２０が充放電する電力の電圧値に応じて、自装置の充放電を制御することができる。そのため、蓄電部２２の電圧値の異なる複数の蓄電装置２０、或いは蓄電部２２の劣化度の異なる複数の蓄電装置２０を並列に接続して使用することが可能になる。これにより、既に稼働したことのあるパワーコンディショナ１０及び蓄電装置２０が接続された蓄電システム１に、新品の蓄電池、或いは既設の蓄電装置２０とは劣化度の異なる蓄電部２２を有する蓄電装置を増設することが可能となる。このように、電圧値の異なる複数の蓄電装置に電力を充放電させる技術の有用性が向上する。
【０１１０】
本実施形態によれば、蓄電装置２０の制御部２１は、スイッチング部２５を制御して、端子部２４と蓄電部２２との電力の入出力の可否を切り替える。かかる構成によれば、蓄電装置２０は、並列に接続された他の蓄電装置２０が充放電する電力の電圧値に応じて、自装置の充放電を実施及び停止し得る。これにより、電圧値の異なる複数の蓄電装置に電力を充放電させる技術の有用性が向上する。
【０１１１】
本実施形態によれば、蓄電装置２０の制御部２１は、スイッチング部２５を制御して、端子部２４と蓄電部２２との間で入出力される電力を変圧する。かかる構成によれば、蓄電装置２０は、並列に接続された他の蓄電装置２０の充放電の電圧値に応じて、自装置が充放電する電力の電圧値を変圧し得る。これにより、電圧値の異なる複数の蓄電装置に電力を充放電させる技術の有用性が向上する。
【０１１２】
本実施形態によれば、第２の電圧値を示す信号には、他の蓄電装置２０の蓄電部２２にかかる電圧値が含まれる。かかる構成によれば、蓄電装置２０の制御部２１は、受信した信号に含まれる他の蓄電装置２０の蓄電部２２にかかる電圧値に基づいて、自らが第２の電圧値を算出することができる。これにより、例えばパワーコンディショナ１０等の蓄電システム１に含まれる他の機器が第２の電圧値を算出する機能を有さない場合でも、本開示にかかる処理が実施可能となり、電圧値の異なる複数の蓄電装置に電力を充放電させる技術の有用性が向上する。
【０１１３】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段又は各ステップ等に含まれる機能等は論理的に矛盾しないように再配置可能であり、複数の手段又はステップ等を１つに組み合わせたり、或いは分割したりすることが可能である。
【０１１４】
例えば、前述した実施形態において、蓄電システム１に含まれる複数の蓄電装置２０には経年劣化による差はあるものの、同一の設計容量を有するものとして説明したが、この限りではない。本開示の蓄電システム１において、経年劣化によらず、当所から設計容量の異なる複数の蓄電装置２０を並列に接続されてもよい。
【０１１５】
例えば、前述した実施形態において、蓄電装置は、外部に電力を供給し、外部からの電力を充電できる任意の機器であってもよい。蓄電装置には、例えば、太陽電池、風力発電装置、水力発電装置及び燃料電池等を含む任意の電源装置が含まれてもよい。かかる場合、前述した蓄電装置の蓄電部は、発電して電力を供給する電源装置と電力を充放電する蓄電装置の組合せであってもよい。
【０１１６】
例えば、前述した実施形態において、蓄電装置２０は、通信部２７において第２の電圧値を示す信号を受信し、第１の電圧値と第２の電圧値とに基づいてスイッチング部２５を制御する例を示したが、この限りではない。蓄電装置２０は、自装置の蓄電部２２が入出力する第１の電流値を測定する第２測定部３５を備え、通信部２７において第２の電流値を示す信号を受信し、第１の電流値と第２の電流値とに基づいてスイッチング部２５を制御してもよい。以下に、蓄電装置２０によって第１の電流値と第２の電流値とに基づくスイッチング部２５の制御する実施形態について説明する。
【０１１７】
第２測定部３５は、蓄電部２２が入出力する電流値を測定する。第２測定部３５は、電流計であってもよい。本明細書において、第２測定部３５により測定された蓄電部２２が入出力する電流値を第１の電流値ともいう。第２測定部３５は、測定した電流値を、制御部２１に送信する。第２測定部３５は、任意の位置に設置されてもよい。例えば、第２測定部３５は、電線３１Ａの開閉器２６の近傍に設置されてもよい。
【０１１８】
制御部２１は、通信部２７により、第２の電流値を示す信号を受信する。制御部２１は、当該信号を任意の方法で受信してもよい。例えば、制御部２１は、他の機器が所定の時間間隔等で送信する第２の電流値を示す信号を受信してもよい。或いは、制御部２１は、通信部２７により、第２の電流値を示す信号の送信要求を他の機器に送信し、当該送信要求に基づき他の機器が送信した第２の電流値を示す信号を受信してもよい。
【０１１９】
第２の電流値を示す信号には、第２の電流値又は第２の電流値を算出するために用いられる情報が含まれてもよい。例えば、第２の電流値を示す信号には、パワーコンディショナ１０によって蓄電システム１に含まれる蓄電装置２０の蓄電部２２が入出力する電流値に基づいて算出された第２の電流値が含まれていてもよい。かかる場合、第２の電流値は、例えば、それぞれの蓄電装置２０が備える電線３１Ａの電流を測定する電流計によって測定され得る。第２の電流値は、例えば、それぞれの蓄電装置２０の蓄電部２２が入出力する電流値の最大値、最小値、又は平均値であってもよい。それぞれの蓄電装置２０に送信される第２の電流値を示す信号には、等しい第２の電流値が設定されてもよく、それぞれの蓄電装置２０ごとに異なる第２の電流値が設定されてもよい。それぞれの蓄電装置２０の制御部２１は、第２の電流値に基づいて放電又は充電を行うように自装置を制御する。また、第２の電流値を示す信号には、第２の電流値を算出するために用いられる情報が含まれていてもよい。かかる場合、蓄電装置２０の制御部２１は、受信した第２の電流値を算出するために用いられる情報から第２の電流値を算出してもよい。蓄電装置２０の制御部２１は、算出した第２の電流値に基づいて放電又は充電を行うように自装置を制御する。第２の電流値を算出するために用いられる情報には、例えば、他の蓄電装置２０で測定された電圧値又は電流値、或いは、上述した他の蓄電装置２０の蓄電部２２のＳＯＣ又はＳＯＨ等が含まれてもよい。
【０１２０】
第２の電流値を示す信号には、上述した第２の電流値又は第２の電流値を算出するために用いられる情報に加えて、その他の情報が含まれてもよい。例えば、第２の電流値を示す信号には、蓄電装置に対する充電又は放電等の動作をさせる制御命令が含まれてもよい。これにより、第２の電流値を示す信号は、例えば、第２の電流値を指定して放電させる制御信号、又は第２の電流値を指定して充電させる制御信号として用いられ得る。その他の情報には、更に、動作の開始条件及び終了条件、制御の開始時間及び終了時間、或いは制御の継続時間等の任意の情報が含まれてもよい。これにより、第２の電流値を示す信号を用いて、より詳細な制御指示を蓄電装置２０に伝達することが可能となる。
【０１２１】
制御部２１は、第１の電流値と第２の電流値とに基づいて、スイッチング部２５を制御して、端子部２４と蓄電部２２との間で入出力される電力を変圧してもよい。制御部２１は、例えば、第１の電流値と第２の電流値との差を算出してもよい。以下、第１の電流値と第２の電流値との差を、単に電流値の差ともいう。制御部２１は、電流値の差が所定の範囲内にないと判定されると、スイッチング部２５に入力された電力を昇圧又は降圧させて、電流値の差が所定の範囲内になるようにスイッチング部２５を制御してもよい。制御部２１は、電流値の差が所定の範囲内にあると判定されると、スイッチング部２５に入力された電力を変圧せずにそのまま出力するようにスイッチング部２５を制御してもよい。
【０１２２】
例えば、蓄電装置２０Ａの制御部２１は、自装置の第１の電流値よりも大きい第２の電流値を指定して放電させる制御信号を受信した場合、スイッチング部２５により第１の電流値と第２の電流値との差が所定の範囲内になるように電力を昇圧して、放電を実施する。その後、自装置の第１の電流値と第２の電流値との電位差が所定の範囲になったのち、第２の電流値を指定して放電させる制御信号を受信した場合、制御部２１は、スイッチング部２５により電力を昇圧せずに、放電を実施する。これにより、蓄電システム１に含まれるそれぞれの蓄電装置２０の蓄電部２２の電圧が異なっている場合においても、蓄電システム１は、それぞれの蓄電装置２０に出力させた電流を合わせた電流を外部に供給することができる。
【０１２３】
かかる構成によれば、蓄電システム１は、蓄電システム１に含まれるそれぞれの蓄電装置２０の最大放電電流値を超えた電流を外部に供給することができる。図１９を参照して、放電初期における蓄電システム１の動作を説明する。例えば、蓄電システム１にそれぞれの最大放電電流値が１．５Ａである蓄電装置２０Ａ及び２０Ｂが含まれるとする。図１９において、蓄電システム１は、蓄電装置２０Ａ及び２０Ｂのうち、放電開始時刻ｔｓにおける電圧の高い蓄電装置２０Ａからの電流を、電圧の低い蓄電装置２０Ｂからの電流より多くなるように制御する。蓄電システム１は、蓄電装置２０Ａ及び２０Ｂにスイッチング部２５を制御させて、蓄電装置２０Ａに１．５Ａの電流を、蓄電装置２０Ｂに０．５Ａの電流を出力させることにより、合計２．０Ａの電流を外部に供給する。その後、蓄電装置２０Ａ及び２０Ｂの放電が進み、時刻ｔｍにおいて、両者の電圧が揃うと、蓄電システム１は、蓄電装置２０Ａ及び２０Ｂにスイッチング部２５の制御を終了させて、蓄電装置２０Ａ及び２０Ｂのそれぞれから等しく１．０Ａの電流を出力させることにより、時刻ｔｍ以降も合計２．０Ａの電流の外部への供給を維持してもよい。
【０１２４】
図２０を参照して、放電末期における蓄電システム１の動作を説明する。例えば、蓄電システム１にそれぞれの最大放電電流値が１．５Ａである蓄電装置２０Ａ及び２０Ｂが含まれるとする。また、蓄電装置２０Ａ及び２０Ｂはそれぞれ電圧値がＶａｅｎｄ及びＶｂｅｎｄとなった時点で放電を終了するとする。以降、電圧値Ｖａｅｎｄ及びＶｂｅｎｄを放電末電圧値ともいう。図２０において、蓄電システム１は、時刻ｔｄまでは蓄電装置２０Ａ及び２０Ｂにスイッチング部２５の制御をさせず、それぞれの蓄電装置２０Ａ及び２０Ｂから等しく１．０Ａの電流を出力させることにより、合計２．０Ａの電流の外部への供給を行う。時刻ｔｄにおいて、蓄電システム１は、蓄電装置２０Ａ及び２０Ｂのうち、放電末電圧値の低い蓄電装置２０Ｂからの電流を、放電末電圧値の高い蓄電装置２０Ａからの電流より多くなるように制御する。蓄電システム１は、蓄電装置２０Ａ及び２０Ｂにスイッチング部２５を制御させて、蓄電装置２０Ａに０．５Ａの電流を、蓄電装置２０Ｂに１．５Ａの電流を出力させることにより、時刻ｔｄ以降も合計２．０Ａの電流の外部への供給を維持してもよい。その後、蓄電システム１は、時刻ｔｅにおいて、蓄電装置２０Ａ及び２０Ｂの電圧値が放電末電圧値に至るまで、蓄電装置２０Ａ及び２０Ｂに電流を出力させてもよい。このように、蓄電システム１において、蓄電システム１に含まれる蓄電装置２０のそれぞれは、等しく放電末電圧値に至るように放電を制御されてもよい。
【符号の説明】
【０１２５】
１  蓄電システム
１０  パワーコンディショナ
２０  蓄電装置
２１  制御部
２２  蓄電部
２３  測定部
２４  端子部
２５  スイッチング部
２６  開閉器
２７  通信部
２８  記憶部
２９  報知部
３０  入力部
３１  電線
３２  スイッチング素子
３３  コイル
３４  ダイオード
４０  電線
５０  通信線
６０  電力系統
７０  負荷
【図１】
2019193475.tif 000003
【図２】
2019193475.tif 000004
【図３】
2019193475.tif 000005
【図４】
2019193475.tif 000006
【図５】
2019193475.tif 000007
【図６】
2019193475.tif 000008
【図７】
2019193475.tif 000009
【図８】
2019193475.tif 000010
【図９】
2019193475.tif 000011
【図１０】
2019193475.tif 000012
【図１１】
2019193475.tif 000013
【図１２】
2019193475.tif 000014
【図１３】
2019193475.tif 000015
【図１４】
2019193475.tif 000016
【図１５】
2019193475.tif 000017
【図１６】
2019193475.tif 000018
【図１７】
2019193475.tif 000019
【図１８】
2019193475.tif 000020
【図１９】
2019193475.tif 000021
【図２０】
2019193475.tif 000022